(57)【要約】【課題】形状が崩れ難いマスクを提供する。【解決手段】  着用者の顔面の対象部位を覆うマスク本体部１と、マスク本体部１を着用者の耳に係止するための右耳掛け部２及び左耳掛け部３と、を備えるマスク１００であって、マスク本体部１は、３枚以上の複数のシート材が積層されてなるシート部１１と、シート部１１に取り付けられ、マスク本体部１の着用者の口元付近の形状を維持する口部補強部材１３と、を備え、口部補強部材１３は、シート部１１の肌から最も遠い面のシート材又は肌から最も近い面のシート材の少なくともいずれか一方に対して固定されていない。【選択図】図２
2018188743.tif 000002
【特許請求の範囲】
【請求項１】
着用者の顔面の対象部位を覆うマスク本体部と、当該マスク本体部を前記着用者の耳に係止するための左右一対の耳掛け部と、を備えるマスクであって、
前記マスク本体部は、３枚以上の複数のシート材が積層されてなるシート部と、前記シート部に取り付けられ、前記マスク本体部の着用者の口元付近の形状を維持する口部補強部材と、を備え、
前記口部補強部材は、前記シート部の肌から最も遠い面のシート材又は肌から最も近い面のシート材の少なくともいずれか一方に対して固定されていないことを特徴とするマスク。
【請求項２】
前記口部補強部材は、前記シート部の肌から最も近い面のシート材に対して固定され、前記シート部の肌から最も遠い面のシート材に対しては固定されていないことを特徴とする請求項１に記載のマスク。
【請求項３】
前記口部補強部材は、前記シート部の肌から最も近い面から２番目のシート材に対して固定されていることを特徴とする請求項２に記載のマスク。
【請求項４】
前記シート部は、前記シート材として、肌から最も近い面のシート材と、肌から最も遠い面のシート材と、の間にフィルターを備え、
前記口部補強部材は、前記フィルターに対して固定されていることを特徴とする請求項１から３のいずれか一項に記載のマスク。
【請求項５】
前記口部補強部材は、前記シート部を構成する複数のシート材のうち肌から最も遠い面のシート材を除くシート材の間に配置され、
前記口部補強部材を囲むように、前記口部補強部材の肌から遠い面側に位置するシート材から、肌から最も近い面のシート材までを溶着させることで、前記シート部に取り付けられていることを特徴とする請求項１から４のいずれか一項に記載のマスク。
【請求項６】
前記シート部は、前記シート材として、肌から遠い面から順に、外面側不繊布と、フィルターと、着用者側不繊布と、を備え、
前記口部補強部材は、前記着用者側不繊布と前記フィルターとの間に配置され、前記口部補強部材を囲むように、前記着用者側不繊布と前記フィルターとを溶着させることで、前記シート部に取り付けられていることを特徴とする請求項５に記載のマスク。
【請求項７】
前記マスク本体部は、前記シート部の上部に固定され、マスク本体部上部に隙間が生じることを防止する鼻部補強部材を備えることを特徴とする請求項１から６のいずれか一項に記載のマスク。
【発明の詳細な説明】
【技術分野】
【０００１】
本発明は、着用者の顔面の鼻、口等を覆うマスクに関する。
【背景技術】
【０００２】
疾病時や花粉、黄砂等の粉塵飛来時、その他の日常生活において使用されるマスクとしては、一般的な顔の形に合わせて形成された立体マスクと、マスク本体にプリーツが形成され、着用者の顔の大きさ等に合わせて形状を調整できるプリーツマスクが存在している。
このうちプリーツマスクは、サイズの調整を行い易い点に利点があるが、会話や呼吸の際にマスクの形状が変形してしまうため、形状が崩れ易く、隙間が生じてしまうことも多かった。
そこで、マスクの変形を防ぐため、マスク本体の着用者の口元付近に、形状保持部材を備えたマスクが存在している（例えば、特許文献１参照）。
【先行技術文献】
【特許文献】
【０００３】
【特許文献１】特開２０１４−３０６５４号公報
【発明の概要】
【発明が解決しようとする課題】
【０００４】
しかしながら、特許文献１に記載のマスクにおいては、形状保持部材はマスク本体の肌から最も遠い面のシート材及び肌から最も近い面のシート材の両者に固定されており、会話や呼吸の際に着用者の口元が動くと、マスク本体を形成するシート材の全てが動いてしまうため、着用者の口元の動きに十分に対応することができず、マスクの形状が崩れることを十分に防止することができなかった。
【０００５】
本発明は、形状が崩れ難いマスクを提供することを目的とする。
【課題を解決するための手段】
【０００６】
上記課題を解決するために、請求項１に記載の発明は、
着用者の顔面の対象部位を覆うマスク本体部と、当該マスク本体部を前記着用者の耳に係止するための左右一対の耳掛け部と、を備えるマスクであって、
前記マスク本体部は、３枚以上の複数のシート材が積層されてなるシート部と、前記シート部に取り付けられ、前記マスク本体部の着用者の口元付近の形状を維持する口部補強部材と、を備え、
前記口部補強部材は、前記シート部の肌から最も遠い面のシート材又は肌から最も近い面のシート材の少なくともいずれか一方に対して固定されていないことを特徴とする。
本発明によれば、形状が崩れ難いマスクを提供することができる。
【０００７】
請求項２に記載の発明は、請求項１に記載のマスクにおいて、
前記口部補強部材は、前記シート部の肌から最も近い面のシート材に対して固定され、前記シート部の肌から最も遠い面のシート材に対しては固定されていないことを特徴とする。
本発明によれば、形状が崩れ難く、着用者の口元の空間を確保できるマスクを提供することができる。
【０００８】
請求項３に記載の発明は、請求項２に記載のマスクにおいて、
前記口部補強部材は、前記シート部の肌から最も近い面から２番目のシート材に対して固定されていることを特徴とする。
本発明によれば、さらに形状が崩れ難いマスクを提供することができる。
【０００９】
請求項４に記載の発明は、請求項１から３のいずれか一項に記載のマスクにおいて、
前記シート部は、前記シート材として、肌から最も近い面のシート材と、肌から最も遠い面のシート材と、の間にフィルターを備え、
前記口部補強部材は、前記フィルターに対して固定されていることを特徴とする。
本発明によれば、さらに形状が崩れ難いマスクを提供することができる。
【００１０】
請求項５に記載の発明は、請求項１から４のいずれか一項に記載のマスクにおいて、
前記口部補強部材は、前記シート部を構成する複数のシート材のうち肌から最も遠い面のシート材を除くシート材の間に配置され、
前記口部補強部材を囲むように、前記口部補強部材の肌から遠い面側に位置するシート材から、肌から最も近い面のシート材までを溶着させることで、前記シート部に取り付けられていることを特徴とする。
本発明によれば、さらに形状が崩れ難いマスクを提供することができる。
【００１１】
請求項６に記載の発明は、請求項５に記載のマスクにおいて
前記シート部は、前記シート材として、肌から遠い面から順に、外面側不繊布と、フィルターと、着用者側不繊布と、を備え、
前記口部補強部材は、前記着用者側不繊布と前記フィルターとの間に配置され、前記口部補強部材を囲むように、前記着用者側不繊布と前記フィルターとを溶着させることで、前記シート部に取り付けられていることを特徴とする。
本発明によれば、さらに形状が崩れ難いマスクを提供することができる。
【００１２】
請求項７に記載の発明は、請求項１から６のいずれか一項に記載のマスクにおいて、
前記マスク本体部は、前記シート部の上部に固定され、マスク本体部上部に隙間が生じることを防止する鼻部補強部材を備えることを特徴とする。
本発明によれば、マスク本体部上部の密着性を高め、マスク本体部と着用者の顔面との間に隙間が生じないようにすることができる。
【発明の効果】
【００１３】
本発明によれば、形状が崩れ難いマスクを提供することができる。
【図面の簡単な説明】
【００１４】
【図１】実施形態に係るマスクを示す斜視図である。
【図２】実施形態に係るマスクを示す正面図である。
【図３】図２のIII-III部における断面図である。
【図４】（ａ）は実施例１に係るマスクを示す断面図、（ｂ）は実施例２に係るマスクを示す断面図、（ｃ）は実施例３に係るマスクを示す断面図、（ｄ）は実施例４に係るマスクを示す断面図、（ｅ）は実施例５に係るマスクを示す断面図、（ｆ）は比較例１に係るマスクを示す断面図、（ｇ）は比較例２に係るマスクを示す断面図である。
【発明を実施するための形態】
【００１５】
以下、本発明の実施形態であるマスク１００の具体的な態様について、図１から図３に基づいて説明する。ただし、本発明の技術的範囲は図示例に限定されるものではなく、あくまで特許請求の範囲の記載を基に判断される。
なお、以下においては、図１に示すように、マスクの着用者を基準として、前後、左右及び上下を定めて説明する。
【００１６】
［構成の説明］
（全体構成）
マスク１００は、図１及び図２に示すように、着用者の顔面の鼻、口、顎等を覆うマスク本体部１と、マスク本体部１を着用者の右耳に係止するための右耳掛け部２と、マスク本体部１を着用者の左耳に係止するための左耳掛け部３と、を備えている。なお、マスク１００は、マスク本体部１の後面側を着用者の顔面に向けて着用される。
【００１７】
（マスク本体部）
マスク本体部１は、図２に示すように、３枚以上の複数のシート材によって形成されたシート部１１と、シート部１１の上端部付近に取り付けられた鼻部補強部材１２と、シート部１１の上下方向中央部付近に取り付けられた口部補強部材１３と、を備える。
【００１８】
（シート部）
シート部１１は、図２に示すように正面視略矩形状に形成されたシート状の部材であり、複数のシート材を積層して形成されている。
シート部１１は、左右方向１２０ｍｍから２１０ｍｍ、好ましくは１４５ｍｍから１７５ｍｍ、上下方向７０ｍｍから１００ｍｍ、好ましくは８０ｍｍから９０ｍｍに形成される。
【００１９】
シート部１１は、図３に示すように、肌から遠い面から順に、シート部１１の肌から最も遠い面に位置する外面側不繊布１１１、フィルター１１２、シート部１１の肌から最も近い面に位置する着用者側不繊布１１３の順にシート材を積層して形成されている。具体的なシート材としては、例えば不繊布として、ポリプロピレンスパンボンド、ポリエチレンスパンボンド、ナイロンスパンボンド等が用いられる。また、フィルターとして、ポリプロピレンメルトブロー、レーヨンスパンボンド等が用いられる。
最も好適には、不繊布としてナイロンスパンボンド、フィルターとしてポリプロピレンメルトブローが用いられる。
【００２０】
シート部１１を形成する外面側不繊布１１１、フィルター１１２及び着用者側不繊布１１３は、上下及び左右の端部付近において、熱・超音波等によって前後に溶着されており、上端部付近に上端部接続部１１ａが、下端部付近に下端部接続部１１ｂが、右端部付近に右端部接続部１１ｃが、左端部付近に左端部接続部１１ｄが形成されている。
【００２１】
シート部１１の上部には、後述の鼻部補強部材１２を取り付けるため、鼻部補強部材１２を囲むように外面側不繊布１１１、フィルター１１２及び着用者側不繊布１１３を、熱・超音波等によって溶着した鼻部補強部材周辺接続部１１ｅが形成されている。
鼻部補強部材周辺接続部１１ｅは、正面視において鼻部補強部材１２の形状と略一致するように形成されていることが望ましいが、鼻部補強部材１２の周囲に若干の間隙が存在し、鼻部補強部材１２を動かすことが可能であってもよい。
【００２２】
シート部１１の上下方向中央部付近には、後述の口部補強部材１３を取り付けるため、口部補強部材１３を囲むようにフィルター１１２及び着用者側不繊布１１３を、熱・超音波等によって溶着した口部補強部材周辺接続部１１ｆが形成されている。
口部補強部材周辺接続部１１ｆは、正面視において口部補強部材１３の形状と略一致するように形成されていることが望ましいが、口部補強部材１３の周囲に若干の間隙が存在し、口部補強部材１３を動かすことが可能であってもよい。
【００２３】
また、図１及び図２においては夫々の接続部１１ａ〜１１ｆが別個に設けられた場合について図示したが、これに限られず、複数の接続部を兼ねる部分が存在していてもよい。例えば、上端部接続部１１ａと鼻部補強部材周辺接続部１１ｅの上部とが重なり、上端部接続部１１ａが鼻部補強部材周辺接続部１１ｅ上部を兼ねていてもよい。
また、これらの接続部は、前後にシート材が接続されていればよく、必ずしも熱・超音波等による溶着によって形成されている必要はない。
また、図１及び図２においてはこれらの接続部が実線状に形成された場合につき図示したが、これに限られず、接続部は例えば破線状に形成されていてもよい。
【００２４】
（プリーツ）
シート部１１は、図３に示すように上下方向に折り返されており、これによって、前面側に、図１から図３に示すように、上部プリーツ１１ｇと、下部プリーツ１１ｈ、１１ｈとが形成されている。マスク１００の着用時には、これらを上下方向に展開することによって、シート部１１が外側に膨出する山型の立体形状となって、着用者の顔面の鼻、口、顎等が覆われるようになっている。
【００２５】
上部プリーツ１１ｇは、図１から図３に示すように、シート部１１前面の上下方向中央部よりも上部に形成された、上方に凸となる折り目であり、上下方向に展開することができる。本実施形態においては、上部プリーツ１１ｇは、シート部１１の１か所に備えられている。
【００２６】
下部プリーツ１１ｈ、１１ｈは、図１から図３に示すように、シート部１１前面の上下方向中央部よりも下部に形成された、下方に凸となる折り目であり、上下方向に展開することができる。本実施形態においては、下部プリーツ１１ｈ，１１ｈは、シート部１１の２か所に備えられている。
【００２７】
上部プリーツ１１ｇ及び下部プリーツ１１ｈ，１１ｈは、シート部１１の上下方向中央部を含む、上部プリーツ１１ｇと下部プリーツ１１ｈ，１１ｈのうち上方に形成されたものとの間の部分の間隔が、最も広くなるように配置され、特に当該部分が、シート部１１の上下方向の幅の３分の１以上の幅を有するように配置されていることが望ましい。これによって、着用者の口元の空間を確保し易くなる。
【００２８】
また、上部プリーツ１１ｇ及び下部プリーツ１１ｈ，１１ｈは、これらの配置間隔が全て異なる間隔となるように配置されていることが望ましい。これによって、プリーツごとに配置間隔を変え、適切な位置に配置することが可能となる。
なお、プリーツの配置間隔には、上部プリーツ１１ｇとマスク上端縁との間隔及び下部プリーツ１１ｈ，１１ｈのうち下方に形成されたものとマスク下端縁との間隔を含むものとする。
【００２９】
（鼻部補強部材）
鼻部補強部材１２は、マスク本体部１の上部が着用者の鼻付近の形状に沿って、隙間が生じないようにするためのものであり、図２に示すように、シート部１１の上端縁に沿って備えられている。
鼻部補強部材１２は、左右方向に長い可塑性を有する部材であり、シート部１１の横幅よりも短く、左右方向に８０〜１３５ｍｍ、好ましくは９０ｍｍ〜１２０ｍｍの長さを有し、上下方向に幅３ｍｍ〜５ｍｍ、前後方向に厚み０．５ｍｍ〜１．０ｍｍとなるように形成されている。
【００３０】
鼻部補強部材１２の材料としては、可塑性を有する任意の材料を使用可能であるが、例えば、ポリプロピレン樹脂、ポリエチレン樹脂、ポリエチレンテレフタラート樹脂等が用いられ、最も好適には、ポリプロピレン樹脂が用いられる。
【００３１】
鼻部補強部材１２は、フィルター１１２と、着用者側不繊布１１３との間に配置され、外面側不繊布１１１、フィルター１１２及び着用者側不繊布１１３を、鼻部補強部材１２の上下及び左右において熱・超音波等を用いて前後に溶着させることで、鼻部補強部材１２を囲むように形成された鼻部補強部材周辺接続部１１ｅによって、シート部１１に取り付けられている。
【００３２】
なお、鼻部補強部材１２は、マスク本体部１の上部に隙間が生じないようにすることが可能であれば、任意の配置及び取り付け方法によってシート部１１に取り付けることができる。
例えば、後述の口部補強部材１３と同様に、外面側不繊布１１１は溶着されないようにして鼻部補強部材周辺接続部１１ｅを形成し、鼻部補強部材１２をシート部１１に取り付けてもよい。また、例えば、鼻部補強部材１２は、外面側不繊布１１１と、フィルター１１２との間に配置されていてもよい。
【００３３】
（口部補強部材）
口部補強部材１３は、マスク本体部１の着用者の口元付近の形状を維持するためのものであり、図２及び図３に示すように、シート部１１の、上部プリーツ１１ｇと、下部プリーツ１１ｈ，１１ｈのうち上方に形成されたものとの間の位置の、シート部１１の上下方向中央部付近に取り付けられている。
なお、口部補強部材１３の取り付け位置としては、シート部１１の上下方向中央部から５ｍｍから１０ｍｍ程度下方にずれた位置に取り付けられていることが望ましいが、マスク本体部１の着用者の口元付近の形状を維持することができればよく、このような配置位置には限られない。
【００３４】
口部補強部材１３は、左右方向に長い可塑性を有する部材であり、図２に示すようにシート部１１の横幅よりも僅かに短く、左右方向に１００〜１５０ｍｍ、好ましくは１１５ｍｍ〜１４５ｍｍの長さを有し、上下方向に幅３ｍｍ〜５ｍｍ、前後方向に厚み０．５ｍｍ〜１．０ｍｍとなるように形成されている。
【００３５】
口部補強部材１３の材料としては、可塑性を有する任意の材料を使用可能であるが、例えば、鼻部補強部材１２と同様、ポリプロピレン樹脂、ポリエチレン樹脂、ポリエチレンテレフタラート樹脂等が用いられ、最も好適には、ポリプロピレン樹脂が用いられる。
【００３６】
口部補強部材１３は、図３に示すように、フィルター１１２と、着用者側不繊布１１３との間に配置され、フィルター１１２と着用者側不繊布１１３とを、口部補強部材１３の上下及び左右において、熱・超音波等を用いて前後に溶着させることで、口部補強部材１３を囲むように形成された口部補強部材周辺接続部１１ｆによって、シート部１１に取り付けられている。
これによって、口部補強部材１３が、フィルター１１２と、着用者側不繊布１１３とに対して固定され、フィルター１１２、着用者側不繊布１１３及び口部補強部材１３が、着用者の口元付近において固定されるが、外面側不繊布１１１については、シート部１１の四辺の端部付近以外においては、他の部材に固定されていないこととなる。
【００３７】
（耳掛け部）
右耳掛け部２及び左耳掛け部３は、例えばポリウレタン等によって形成された紐状の部材であり、右耳掛け部２はマスク本体部１の右側に、左耳掛け部３はマスク本体部１の左側に備えられている。右耳掛け部２及び左耳掛け部３は、夫々シート部１１の端部に、例えば熱・超音波等によって溶着することにより取り付けられている。
【００３８】
［製造方法の説明］
（１）  肌から最も遠い面から順に、外面側不繊布１１１、フィルター１１２、着用者側不繊布１１３の順でシート材を重ね、フィルター１１２と、着用者側不繊布１１３との間の所定の位置に、鼻部補強部材１２及び口部補強部材１３を配置する。
（２）  外面側不繊布１１１、フィルター１１２及び着用者側不繊布１１３を、鼻部補強部材１２の上下及び左右において熱・超音波等を用いて前後に溶着させ、鼻部補強部材周辺接続部１１ｅを形成する。また、フィルター１１２と着用者側不繊布１１３とを、口部補強部材１３の上下及び左右において熱・超音波等を用いて前後に溶着させ、口部補強部材周辺接続部１１ｆを形成する。
（３）  重ねられたシート材を、上部プリーツ１１ｇ及び下部プリーツ１１ｈ、１１ｈが形成されるように折り畳む。
（４）  折り畳まれたシート材の上下及び左右の端部付近を、熱・超音波等を用いて前後に溶着させ、上端部接続部１１ａ、下端部接続部１１ｂ、右端部接続部１１ｃ及び左端部接続部１１ｄを形成する。
（５）  右耳掛け部２の両端部を、シート材の右端部の上下に熱・超音波等を用いて溶着させ、左耳掛け部３の両端部を、シート材の左端部の上下に熱・超音波等を用いて溶着させる。
【００３９】
［効果の説明］
本実施形態に係るマスク１００によれば、口部補強部材１３は、外面側不繊布１１１に対して固定されていない。したがって、マスク本体部１の肌から最も遠い面に位置する外面側不繊布１１１については、中央部付近において他のシート材と接続されず、独立して動かすことが可能となる。
これによって、会話・呼吸等の際にフィルター１１２及び着用者側不繊布１１３が、着用者の口元の動きに合わせて動いてしまっても、外面側不繊布１１１はこれに合わせて動き難くなることから、着用者の口の動きに対応でき、会話・呼吸等の際にも形状が崩れ難く、間隙が生じ難いマスクを提供することができる。
【００４０】
また、口部補強部材１３は、着用者側不繊布１１３に対して固定されている。したがって、口部補強部材１３によって、マスク本体部１の着用者の肌から最も近い面に位置する着用者側不繊布１１３の形状を維持でき、着用者の口元の空間を確保することができる。これによって着用者は、マスクを着用した状態でも会話や呼吸を行い易くなる。
【００４１】
また、口部補強部材１３は、フィルター１１２と着用者側不繊布１１３との間に配置され、上下及び左右においてフィルター１１２と着用者側不繊布１１３とを前後に溶着させることで、フィルター１１２及び着用者側不繊布１１３に対して固定されている。
これによって、口部補強部材１３によって、フィルター１１２及び着用者側不繊布１１３の２層の形状が維持されることとなり、上記の効果を向上させることができる。
また、外面側不繊布１１１及び着用者側不繊布１１３と比較して強度のあるフィルター１１２に口部補強部材１３が固定されていることによって、さらに上記効果を向上させることができる。
【００４２】
また、この場合、口部補強部材１３をシート材に対して直接接着する必要がなく、シート材の溶着のみによって生産することができるため、生産性の観点からも好ましい。
【００４３】
また、口部補強部材１３は、フィルター１１２と着用者側不繊布１１３との間に配置され、口部補強部材周辺接続部１１ｆも、フィルター１１２及び着用者側不繊布１１３に形成され、外面側不繊布１１１には形成されていない。
したがって、マスク１００の外面側からは、口部補強部材１３及び口部補強部材周辺接続部１１ｆが視認し難くなり、口部補強部材１３を備えたことによってマスクの外観が悪化することも防止できる。
【００４４】
［変形例］
シート部１１の構造としては、肌から最も近い面に位置するシート材の形状が口部補強部材１３によって維持されつつ、肌から最も遠い面に位置するシート材の中央部が自由に動き得るものであればよく、上記の３層構造には限られない。例えばさらにシート材を追加して、更なる多層構造としてもよい。ただし、３枚以上のシート材からなる多層構造である必要がある。
この場合、口部補強部材１３は、いずれかのシート材の間であって、肌から最も遠い面のシート材とそのすぐ肌に近い面側のシート材との間以外の位置に配置される。そして、口部補強部材１３の肌から遠い面側に位置するシート材から肌から最も近い面のシート材までを、肌から最も遠い面のシート材を含まずに、口部補強部材１３の左右及び上下において前後方向に接続することで、シート部１１に取り付けられる。
【００４５】
また、口部補強部材１３の取り付け方法としては、上記のように前後のシート材を口部補強部材１３の周囲を囲むように接続することによって取り付けることが望ましいが、シート部１１の肌から最も近い面のシート材の形状を維持しつつ、肌から最も遠い面のシート材の自由可動性を確保できるように取り付けることが可能であれば、これに限られない。
例えば、肌から最も近い面のシート材に対して、直接接着することも可能である。
【００４６】
また、着用者の口元の空間を確保するという効果は得られなくなるものの、マスクを口の動きに対応できるようにし、会話・呼吸等の際にも形状が崩れ難いマスクを実現するのみであれば、口部補強部材１３は必ずしも肌から最も近い面のシート材に固定されている必要はなく、肌から最も遠い面のシート材又は肌から最も近い面のシート材の少なくともいずれか一方に対して固定されていなければよい。
【００４７】
また、プリーツの数及び上下方向の配置は図示したものに限られず、シート部１１を上下方向に展開することが可能であれば、任意の数のプリーツを、任意の位置に配置可能である。
【００４８】
また、各プリーツにおいて形成される折り返し部分の上下の幅は、全てのプリーツにおいて同一でもよいが、プリーツごとに異なる幅としてもよい。例えば、全てのプリーツにおいて折り返し部分の幅が同一であれば、シート部１１を各プリーツにおいて均等に広げることが可能となる。また、上部プリーツ１１ｇにおいて折り返し部分の幅を広くすれば、シート部１１上部を大きく広げることが可能となり、下部プリーツ１１ｈ、１１ｈにおいて折り返し部分の幅を広くすれば、シート部１１下部を大きく広げることが可能となる
【００４９】
また、口部補強部材１３は、下部プリーツ１１ｈで折り返された、シート部１１の内側に位置する部分に配置されていてもよい。この場合、下部プリーツ１１ｈの開き具合に応じて、口部補強部材１３の位置を上下に移動させることができる。また、下部プリーツ１１ｈを開いていない状態においては、シート部１１の口部補強部材１３が取り付けられた部分が前方から視認できなくなることから、マスク１００の外観をさらに向上させることができる。
【実施例】
【００５０】
次に、本発明の実施例及び比較例について、マスクが着用者の口の動きに対応できているか及び口元空間が確保できているかについて評価した結果を説明する。以下、実施例により本発明を具体的に説明するが、本発明はこれらに限定されるものではない。
【００５１】
（実施例１）
外面側不繊布１１１としてポリプロピレンスパンボンド(米坪：２０ｇｓｍ)、フィルター１１２としてポリプロピレンメルトブロー(米坪：２０ｇｓｍ)、着用者側不繊布１１３としてナイロンスパンボンド(米坪：２０ｇｓｍ)を用いて３層に形成し、上部プリーツ１１ｇを１か所、下部プリーツ１１ｈ、１１ｈを２か所に形成したシート部１１を備え、シート部１１の上下方向中央部よりも下方にポリエチレン樹脂を用いた口部補強部材１３を取り付けたマスクである。
具体的には、シート部１１は上下方向に９０ｍｍの幅を有し、上部プリーツ１１ｇはシート部１１上端から２５ｍｍの位置に配置され、下部プリーツ１１ｈ、１１ｈのうち上部のものは上部プリーツ１１ｇから４０ｍｍの位置に配置され、下部プリーツ１１ｈ、１１ｈのうち下部のものは下部プリーツ１１ｈのうち上部のものから１５ｍｍの位置に配置されている。
また、口部補強部材１３は、マスク本体部１の上下方向中央部から下方へ５ｍｍずれた位置に配置され、図４（ａ）に示すように、フィルター１１２と、着用者側不繊布１１３との間に挟まれた状態で、口部補強部材１３の上下及び左右において、熱・超音波等を用いて、フィルター１１２と着用者側不繊布１１３とを前後に溶着させることで、シート部１１に取り付けられている。
【００５２】
（実施例２）
図４（ｂ）に示すように、口部補強部材１３を、着用者側不繊布１１３にのみ接着等の方法により固定してシート部１１に取り付けたマスクであり、その余の構成は、実施例１に係るマスクと同様である。
【００５３】
（実施例３）
図４（ｃ）に示すように、口部補強部材１３を、フィルター１１２にのみ接着等の方法により固定してシート部１１に取り付けたマスクであり、その余の構成は、実施例１に係るマスクと同様である。
【００５４】
（実施例４）
図４（ｄ）に示すように、口部補強部材１３を、外面側不繊布１１１にのみ接着等の方法により固定してシート部１１に取り付けたマスクであり、その余の構成は、実施例１に係るマスクと同様である。
【００５５】
（実施例５）
図４（ｅ）に示すように、口部補強部材１３を、外面側不繊布１１１と、フィルター１１２との間に挟まれた状態で、口部補強部材１３の上下及び左右において、熱・超音波等を用いて、外面側不繊布１１１と、フィルター１１２とを前後に溶着させることでシート部１１に取り付けたマスクであり、その余の構成は、実施例１に係るマスクと同様である。
【００５６】
（比較例１）
図４（ｆ）に示すように、口部補強部材１３を、フィルター１１２と、着用者側不繊布１１３との間に挟まれた状態で、口部補強部材１３の上下及び左右において、熱・超音波等を用いて、外面側不繊布１１１、フィルター１１２及び着用者側不繊布１１３を前後に溶着させることで、シート部１１に取り付けたマスクであり、その余の構成は、実施例１に係るマスクと同様である。
【００５７】
（比較例２）
図４（ｇ）に示すように、口部補強部材１３が備えられておらず、シート材が四辺の端部付近以外において前後に接続されていないマスクであり、その余の構成は、実施例１に係るマスクと同様である。
【００５８】
上記実施例及び比較例のマスクを用いて、以下のような試験を行った。
【００５９】
（口の動きに対応できているか）
実際にマスクを着用して口を大きく開け、マスクが顔からズレなかった場合には◎、鼻かあごのいずれか一方がズレることは防げたものの、他方がズレてしまった場合には○、鼻とあごの両方がズレてしまった場合には×と評価した。
【００６０】
（口元空間が確保できているか）
実際にマスクを着用して深呼吸を行い、マスクの形が崩れなかった場合には◎、わずかに形が崩れるが口に付かなかった場合には○、形が崩れ、口に付いてしまった場合には×と評価した。
【００６１】
各試験の結果を表Iに示す。
【００６２】
【表１】
2018188743.tif 000003
【００６３】
（評価）
実施例１、実施例２、実施例３、実施例４及び実施例５と、比較例１及び比較例２との比較により、口部補強部材１３を備えた上で、肌から最も遠い面のシート材又は肌から最も近い面のシート材の少なくとも何れか一方が口部補強部材１３に固定されないようにすることで、マスクを口の動きに対応できるようにするという効果が生じることが分かる。
また、実施例１及び実施例５と、実施例２、実施例３及び実施例４との比較により、口部補強部材１３を、肌から最も遠い面のシート材又は肌から最も近い面のシート材に加え、その内側のシート材に対しても固定されるようにすることで、さらに上記効果を高めることができることが分かる
【００６４】
実施例１、実施例２及び比較例１と、実施例３、実施例４、実施例５及び比較例２との比較により、口部補強部材１３を備えるとともに、これが肌から最も近い面のシート材に固定されるようにすることで、口元空間を確保できるという効果が生じることが分かる。
また、実施例１及び比較例１と、実施例２との比較により、口部補強部材１３を、肌から最も近い面のシート材に加え、その内側のシート材に対しても固定されるようにすることで、さらに上記効果を高めることができることが分かる。
【符号の説明】
【００６５】
１００  マスク
１  マスク本体部
１１  シート部
１１１  外面側不繊布
１１２  フィルター
１１３  着用者側不繊布
１１ｆ  口部補強部材周辺接続部
１２  鼻部補強部材
１３  口部補強部材
２  右耳掛け部（耳掛け部）
３  左耳掛け部（耳掛け部）
【図１】
2018188743.tif 000004
【図２】
2018188743.tif 000005
【図３】
2018188743.tif 000006
【図４】
2018188743.tif 000007